(57)【要約】【課題】レッグ部は膨ら脛側を主体に段階的に着圧し、そして土踏まず部位を含めて強圧にし、足の疲労回復を早めるようにした着圧ハイソックスを提供する。【解決手段】口ゴム部と前面の脛側及び後面の膨ら脛側からなるレッグ部と足首部と踵部と土踏まず部位を含むフ−ト部とからなる着圧ハイソックスにおいて、少なくとも踵部以外の編糸に弾性糸からなる挿入糸を挿通し、爪先部と前記踵部に前記表糸に紡績糸、裏糸にフィラメント・ツイスト・ヤーンを使用するとともに裏糸に補強糸を挿入して編成し、前記レッグ部を上から下に順次編目の長さを短くするとともに、脛側の編目長を長く膨ら脛側１４の編目長を短くし、挿入糸の供給量を前記レッグ部を上部から下部に順次減少して編成し、上部の着圧をソフトにした着圧ハイソックスを構成するものである。【選択図】図３
2005325486.tif 000002
【特許請求の範囲】
【請求項１】
口ゴム部と前面の脛側及び後面の膨ら脛側からなるレッグ部と足首部と踵部と土踏まず部位を含むフート部とからなる着圧ハイソックスにおいて、少なくともレッグ部と足首部と土踏まず部位を含むフート部に表糸に紡績糸、裏糸にフィラメント・ツイスト・ヤーンを使用するとともに弾性糸からなる挿入糸を挿通して編成し、爪先部と前記踵部に前記表糸と裏糸に補強糸を挿入して編成し、前記レッグ部を上部から下部に順次編目長を短く編成するとともに、前記脛側の編目長を長く前記膨ら脛側の編目長を短くし、前記挿入糸の供給量を前記レッグ部を上部から下部に順次減少して編成したことを特徴とする着圧ハイソックス。
【請求項２】
レッグ部の脛側の編目が膨ら脛側の編目に対して、上部から下部に３０％から１５％の比率である請求項１記載の着圧ハイソックス。
【請求項３】
レッグ部を弾性糸の供給量を、上部から下部に５０〜７０％減少させた請求項１又は２記載の着圧ハイソックス。
【発明の詳細な説明】
【技術分野】
【０００１】
本発明は、弾性靴下の着圧ハイソックスに係るものであり、更に詳しくは、医療用、疲労回復用、スポーツ用、及び足を細くするのにも最適の着圧ハイソックスに関するものである。
【背景技術】
【０００２】
長時間飛行機に乗って足を下にして動かさないでいると、血流が阻害されてエコノミー症候群になる。また長時間屋外で歩くゴルフや、足で蹴りあうサッカーやラグビー等のスポーツ用の靴下としては、ハイソックスは欠かすことの出来ないものとなっている。このハイソックスは、膨ら脛（フクラハギ）側を含む脚部を被覆して着用する長いソックスであるところに特徴を有する。なお本発明でいうハイソックスとは、オーバーニーソックスや、オープン・トウソックスを含むものである。
一方、脚部の足の浮腫（むくみ）や疲労は、血流が阻害されて、膨ら脛側の筋肉の正常状態への回復が遅くなることに起因している。しかし、一般のハイソックスは、ずり落ち防止の配慮はなされても、特に脚部への着圧によって、静脈血流を促進させるというものとはなっていない。
【０００３】
血の巡りは、動脈を通って流れ、静脈を通って心臓に返される。そして心臓から一番離れた脚は、引力や重力の影響もあって、血液が溜りやすく、疲労や浮腫の原因になっている。従って、膨ら脛側の静脈流に、適度の圧迫力による刺激を与えるように足を動かせば、血の流れがよくなり、疲労の回復も早まることが医学的な臨床実験の結果からも立証されている。そのため、下肢の静脈の血行を脚の外側から圧力をかけることにより改善する、医療用の弾性靴下として、各種の先行技術が提案されている。
【０００４】
例えば、特許文献１を始めとする特許文献２、特許文献３、特許文献４、特許文献５が既に開示されている。
【特許文献１】特公平７−９８０５３号公報
【特許文献２】特開平１１−７０１４０号公報
【特許文献３】特表２０００−５１２１７６号公報
【特許文献４】特開平１１−４７１８６号公報
【特許文献５】特開平１１−１３１３０３号公報
【０００５】
しかし、特許文献１〜５に記載された靴下は、レッグ部の前面の脛（スネ）側と後面の膨ら脛側のコ−ス方向で、同一の編成方法によって編成されているので、全体が強い締め付けをなしており、履きにくい割りには、膨ら脛側を加圧するという効果が有効ではない。その点、特許文献６と特許文献７に記載された靴下は、特に膨ら脛側だけに着圧が掛かるようにしている。
【特許文献６】特開２００２−１３００５号公報
【特許文献７】特開２００１−５５６０４号公報
【０００６】
特許文献６に開示された靴下は、本発明者の一人が開発に参画した技術であるが、編成の難しかしさがあった。また特許文献７に開示された靴下は、実際に着用してみるとレッグ部において脚に副わない点があり、何よりも脛側の編成が上から下まで同一なので、レッグ部の強く加圧したい下部が弱く、逆に上部が強くなっている。そして特許文献７に記載のものは、ポリウレタン弾性糸は使用されているが、普通の編糸として編成されてあり、挿入糸としての締付組織にはなってないので、締付圧の非常に低いものに止まっている。
そして、特許文献５に記載のものを除けば、従来の先行技術は、何れも足の浮腫に対する処置を足首部（くるぶし部）から上部だけの刺激に終始し、足底の土踏まず部位への配慮がなされておらない。また、特許文献５に記載のものは、肝心の足首部を弱圧にしているので、医学的な見地からは効果が疑問を有するものである。
【発明の開示】
【発明が解決しようとする課題】
【０００７】
上記の事情に鑑み、本発明は、レッグ部は膨ら脛側を主体に加圧し、そして土踏まず部位を含めて足首部を強圧にし、レッグ部の下部から上部へ着圧を段階的に減少させて総合的な静脈血流の流れを良くするようにし、この圧迫力による刺激で足の疲労回復を早めるようにした着圧ハイソックスを提供することを課題としている。
【課題を解決するための手段】
【０００８】
本発明は上記目的を達成するために、口ゴム部と前面の脛側及び後面の膨ら脛側からなるレッグ部と足首部と踵部と土踏まず部位を含むフート部とからなる着圧ハイソックスにおいて、少なくともレッグ部と足首部と土踏まず部位を含むフート部に表糸に紡績糸、裏糸にフィラメント・ツイスト・ヤーンを使用するとともに弾性糸からなる挿入糸を挿通して編成し、爪先部と前記踵部に前記表糸と裏糸に補強糸を挿入して編成し、前記レッグ部を上部から下部に順次編目長を短く編成するとともに、前記脛側の編目長を長く前記膨ら脛側の編目長を短くし、前記挿入糸の供給量を前記レッグ部を上部から下部に順次減少して編成した着圧ハイソックスを構成するものである。
【発明の効果】
【０００９】
本発明の着圧ハイソックスは、レッグ部の加圧を、深部静脈血管を含めると数多くの静脈血管が多く存在する膨ら脛側を効果的に締め付けるように集中させ、脛側の編目を末広がりにすることによって、下部から上部への着圧を減少させ人体に副わせることができる。
【００１０】
本発明の着圧ハイソックスは、医学的な根拠に立脚して足首部を強圧にするとともに、土踏まず部位も強圧にすることによって、足底の静脈血流の流れを促進させて浮腫を解消させ、足の疲労回復を早めるようにしたので、エコノミー症候群を始めとする医療用やスポーツ用に最適のものにすることができる。
【００１１】
本発明の着圧ハイソックスは、脚の形状に合わせた立体設計にし、履き口を弱圧のソフトにして履きやすくし、各部の着圧は実用テストを繰り返して細かく設定し、心地良いものとしたので、フィット性や着用快感性に優れたものにすることができる。
【発明を実施するための最良の形態】
【００１２】
次に本発明の着圧ハイソックスを、以下図面に基づいて、詳細に説明する。
【実施例】
【００１３】
図１は、本発明の着圧ハイソックスの一実施例を示す少なくとも踵部以外の組織図である。図２は、シンカーのフック底と編針との関係と対比した度目調整による編目の変化を示したもので、（イ）は度目を密にし編目長を短くした時の説明図、（ロ）は度目を粗にし編目長を長くした時の説明図である。図３は、本発明の着圧ハイソックスの一実施例を示したもので、（イ）は正面図、（ロ）は右側面図である。
【００１４】
本発明の着圧ハイソックスは、Ｂ式・Ｋ式編機やリブニッタ等の各種靴下用丸編機によって編成することができるが、本実施例の場合には、イタリアのロナティ製の供給口が４口、釜径４吋、ゲ−ジ（針数）２４０Ｎ（本）の編機を使用した。即ち、編目は横のコ−ス方向に編成され、編地は縦のウェ−ル方向に引張られる。
【００１５】
一般にハイソックスは、膝下までの長さを有する靴下のことである。本発明でいうハイソックス１は、膝の上まであるオーバーニー靴下や、指先部のないオープン・トウ靴下も含むものである。
【００１６】
着圧ハイソックス１は、口ゴム部２、レッグ部３、足首部４、踵部５、フート部６、爪先部７とからなっており、フート部６には、土踏まず部位８が含まれる。なお足首部は、「クルブシ」とも称される。
【００１７】
口ゴム部２は上端の編み始め端で、本実施例の場合は、柄編組織にし、メ−クアップ装置によって編地を二重にしているので、９が折り返しのダブルウエルトである。
【００１８】
本発明の着圧ハイソックス１は、少なくとも踵部５以外の編糸に弾性糸からなる挿入糸を挿通しているので、図１のように、挿入編の締付組織１０に編成されており、このことによって全体に着圧が保たれている。
【００１９】
また、本実施例の場合は、踵部５と爪先部７以外の編糸に弾性糸からなる挿入糸を挿通している。本発明で少なくとも踵部５以外としたのは、オープン・トウの場合には、爪先部がないからである。
【００２０】
本発明品の編糸は、糸の種類や本数や番手に限定されることなく、各種の糸が使用できる。そのため編糸としては、抗菌処理糸や、疏水性の合繊を親水基でブロック共重合し表面を多孔質にして水分を保持しうるようにした吸湿性糸や、遠赤外線を発生するセラミック糸も使用できる。
【００２１】
本実施例の場合は、図１に示すように、表糸１１に綿７０％・レーヨン３０％の混紡糸からなる３２番手単糸のクラビオン（商標）を使用する。また裏糸１２には、２０ｄのスパンデックス糸を、７５ｄのポリエステル糸でカバリングしたフィラメント・ツィスト・ヤーン（ＦＴＹ）を使用する。そして挿入糸１３には、２８０ｄのスパンデックス糸を、５０ｄのポリエステル糸と同じく５０ｄのポリエステル糸をダブルカバリングしたダブル・カバリング・ヤーン（ＤＣＹ）を使用した。なお、踵部５と爪先部７には、挿入糸１３が入っていない。なお、図１に示すＣｏはコース方向であり、Ｗｅはウェル方向である。本実施例は、給糸口が４口の編機を使用したが、この中、２口で表糸と裏糸を編成し、残りの２口を挿入糸ＤＣＹに使用した。
【００２２】
そして本発明の着圧ハイソックス１は、爪先部７と踵部５には補強糸（図示せず）を挿入して、補強している。本実施例に使用の補強糸は、３０ｄ双糸のウーリーナイロン糸を使用し、添え糸として裏糸１２側に添糸編みした。土踏まず部位８と、ここで部位と称したのは、ソックス１の各部２，３，４，５，６，７を部と称したので、この中に属する部分を、部位と別称するようにしたものである。
【００２３】
本発明の着圧ハイソックス１のレッグ部３は、足形に合わせた形状にしているが、脛側１４と膨ら脛側１５の編目の長さと弾性糸の供給量を異に編成している。例えば、シリンダの回転速度が１５０回／分、即ち２．５回／秒とし、レッグ上部３ａの円周が一周２３ｃｍ、下部３ｃの円周は１３ｃｍとすると、弾性糸の供給速度は、レッグ部３の上部で５７．５ｃｍ／秒、レッグ部３の下部で３２．５ｃｍ／秒程度となり、下部の供給速度は上部の供給速度に対して約５０〜７０％減少させたので、上部は履きやすく、下部は締め付けるようになっている。
【００２４】
更に、本発明のレッグ部３は、前面の脛側１４と後面の膨ら脛側１５との編目の長さを異にしているが、これを図２に基づいて説明する。図２は、シンカのフック底と編針との関係と対比した度目調整による編目の変化を示したもので、（イ）は度目を密にし編目長を短くした時の説明図であり、（ロ）は度目を粗にし編目長を長くした時の説明図である。
【００２５】
機械的な度目とは、製品としての編目長の調整機構である。編目は、シンカＳのフック底（ラッチベースＬ）に対し、編針Ｎが引き込むことにより糸に弛みをつけて出来るが、編目の大きさは編針が糸をどれだけ引き込むかで決められる。この引き込み量の調整は、シリンダを３６０°回転させる間にファショニングカム（上下のカム、図示せず）をコンピューターからの指令によりエアシリンダを用いて上下動させて行なう。
【００２６】
図２に示すＨａとＨｂは、ラッチベースＬと編針Ｎとの関係寸法である。（イ）の場合のＨａは、ファショニングカムが上がって度目が密になり、編目長１６ａが短い状態を示しており、これが膨ら脛側１５の編組織である。また（ロ）の場合のＨｂは、ファショニングカムが下がって度目が粗になり、編目長１６ｂが長くなった状態を示しており、これが脛側１４の編組織である。従って、膨ら脛側１５の編目は編目長１６ａが短く、伸びが抑制されて着圧がかかるようにしている。
【００２７】
しかも本発明のレッグ部３は、着圧の変化を、上から下に順次大きくしており、例えば３段階のコースに分割して、体形に合わせ、医学的な見地に基づいた着圧の変化を、下から上に３段階に分割している。レッグ部３は、一番上のレッグ上部３ａは、ずり落ちない程度のソフトな着圧にする必要がある。レッグ中部３ｂは、膨ら脛側１５の一番太い位置で、着用時コ−ス方向の伸びに対して、膨ら脛側１５を有効に締め付ける必要がある。そして一番下はレッグ下部３ｃで、ヒラメ筋の位置に相当するので、足首部４に次いで強く着圧する必要がある。なお、着圧の変化を、３段階のコ−スに分割する代わりに、上から下に無段階に順次大きくして編成してもよい。
【００２８】
本実施例の場合には、例えば、１１２コースをレッグ上部３ａに、また次の７４コースをレッグ中部３ｂにしている。そして最後の８４コースをレッグ下部３ｃにしている。その中で、レッグ上部３ａの７０目が脛側１４、またレッグ中部３ｂの５０目が脛側１４である。さらにレッグ下部３ｃの３６目が脛側１４である。従って、本発明のレッグ部３における膨ら脛側１５に対する脛側１４は、レッグ上部３ａがゲ−ジ２４０で割ると３０％（７０／２４０  ３０％）となる。同様にレッグ中部３ｂは２０％、レッグ下部３ｃは１５％となっている。
なお、本発明のレッグ部３は、上から下に太径から細径にするとともに、脛側の編目の長さと膨ら脛側の編目の長さとの比率を順次約３０％から約１５％まで変化させてもよい。
【００２９】
一方、弾性糸の挿入糸１３も、その供給量を上部から下部に減少させるように、張力を段階的に調整している。そのため、脛側１４の編目組織は、図３（イ）（ロ）に示すように、上部から下部に縮小するとともに、幾分段状を帯びた形状のものとなっている。このことは、伸びを押さえるようにした膨ら脛側１５を、下の方を大きくして、上より着圧がかかりやすくしている。
【００３０】
本発明品が、着用時にかかる着圧を、レッグ部の上部の着圧が大きく、下部の着圧が小さい比較品と対比して測定した結果を、表１に示す。試験は、日本化学繊維検査協会によるカケン法で、液圧平衡方式によるカテーテル法で行った。但し、脚部の人体模型には、下記外径の塩ビパイプを使用した。レッグ部は１１４ｍｍ（円周約３５．８ｃｍ）、足首部は６０ｍｍ（円周約１８．８ｃｍ）のものである。単位は、ｈＰａ（ｍｍＨｇ）の２種である。
【００３１】
【表１】
2005325486.tif 000003
【００３２】
表１の結果によると、比較品に対し本発明品は、レッグ部の下部の着圧が大きく、上部の着圧が小さくなっており、下部の浮腫に対する静脈流を、心臓側に戻す有効なものとなっている。また比較品は、レッグ部の編目長は同一で、挿入糸の供給量もレッグ部を通して同一にして編成したものを使用したところ、膨ら脛側の着圧より脛側の着圧が高くなって、医学的に疑問のあるものとなっている。これに対し本発明品は、脛側の着圧より膨ら脛側の着圧が高くなって、有効なものとなっていることが分かる。
【００３３】
次にこの発明品の着圧ハイソックスと、従来品のハイソックスを、片足づつ実際に履いてもらって、ゴルフをした後に、着用試験の結果を各自に判定してもらい、その疲労回復度の効果を聞いたところ、表２のようになった。◎は、確かに疲労回復が早く、非常に良かったと絶賛したので、◎と判定した。△は◎に比べたら、かなり劣ることを示したものである。
【００３４】
【表２】
2005325486.tif 000004
【００３５】
最後に、守秘義務を有する女性のモニター３８名に質問し、その答えを纏めた結果を表３に示す。このモニターの結果は、少々不満の残る人もいたが、大半の人は、本発明品の効果を認めてくれた。
【００３６】
【表３】
2005325486.tif 000005
【図面の簡単な説明】
【００３７】
【図１】本発明の着圧ハイソックスの一実施例を示す少なくとも踵部以外の組織図である。
【図２】シンカのフック底と編針との関係と対比した度目調整による編目の変化を示したもので、（イ）は度目を密にし編目長を短くした時の説明図、（ロ）は度目を粗にし編目長を長くした時の説明図である。
【図３】本発明の着圧ハイソックスの一実施例を示したもので、（イ）は正面図、（ロ）は右側面図である。
【符号の説明】
【００３８】
１        着圧ハイソックス
２        口ゴム部
３        レッグ部
３ａ      レッグ上部
３ｂ      レッグ中部
３ｃ      レッグ下部
４        足首部
５        踵部
６        フート部
７        爪先部
８        土踏まず部位
９        ダブルウエルト
１０      挿入編組織
１１      表糸
１２      裏糸
１３      挿入糸
１４      脛側
１５      膨ら脛側
１６ａ    短い編目長
１６ｂ    長い編目長
Ｃｏ      コース方向
Ｗｅ      ウェール方向
Ｈａ      密な度目
Ｈｂ      粗な度目
Ｌ        ラッチベース
Ｎ        編針
Ｓ        シンカ
【図１】
2005325486.tif 000006
【図２】
2005325486.tif 000007
【図３】
2005325486.tif 000008